(57)【特許請求の範囲】
【請求項１】
相手コネクタの端子と電気的に接触する複数の雄端子と、
前記相手コネクタが挿入可能に形成され内部に前記雄端子を収容するコネクタハウジングと、
前記相手コネクタの挿入方向に移動可能に設けられ、前記雄端子の先端部を前記コネクタハウジング内に位置付けるアライニングプレートとを備え、
前記コネクタハウジングには、前記アライニングプレートを仮係止位置に保持する一対の仮係止アームを設け、前記アライニングプレートには、前記仮係止アームが係合可能に形成された仮係止部を設け、前記コネクタハウジングと前記アライニングプレートには、互いに嵌合可能に形成される凹部と凸部とを複数設けたアライニングプレート付きコネクタにおいて、
前記アライニングプレートのプレート本体は、前記コネクタハウジングの長手方向に沿った辺が前記コネクタハウジングの短手方向に沿った辺に比べて長くなる長方形の板状部分に形成され、
前記仮係止アームと前記仮係止部は、前記プレート本体の前記短手方向に沿った辺の位置に合わせて配置され、且つ、前記凹部と前記凸部は、前記プレート本体の前記長手方向に沿った辺の位置に合わせて配置され、且つ、前記凹部と前記凸部は、前記プレート本体の前記長手方向に沿った辺が前記挿入方向に撓むのを規制する部分として形成され、且つ、前記凹部と前記凸部は、前記プレート本体の前記長手方向に沿った辺が前記挿入方向に撓もうとすると噛み合うことができる大きさに形成される
ことを特徴とするアライニングプレート付きコネクタ。
【請求項２】
請求項１に記載のアライニングプレート付きコネクタにおいて、
前記凹部及び前記凸部を、少なくとも前記仮係止アーム及び前記仮係止部の近傍に設ける
ことを特徴とするアライニングプレート付きコネクタ。
【請求項３】
請求項１又は２に記載のアライニングプレート付きコネクタにおいて、
前記凸部を、前記コネクタハウジングの内壁に設け前記挿入方向に沿って延びるリブ状に形成し、
前記凹部を、前記アライニングプレートの外縁に設け前記凸部を案内可能に形成する
ことを特徴とするアライニングプレート付きコネクタ。
【発明の詳細な説明】
【技術分野】
【０００１】
本発明は、雄端子を支持して規定の位置に位置決め及び保護をするアライニングプレートを備えるアライニングプレート付きコネクタに関する。
【背景技術】
【０００２】
従来、電気的な接続を行うため用いられるコネクタの技術として、例えば、特許文献１に開示された技術が知られている。
特許文献１に開示されたコネクタは、一方の電線束の端末に設けられる雄コネクタと、他方の電線束の端末に設けられる雌コネクタとを備えて構成されている。雌コネクタは、フード部及び雄端子収容部を有する雌コネクタハウジングと、この雌コネクタハウジングに収容される多数の雄端子とを備えて構成されている。また、雌コネクタは、雄端子が多数ある場合、アライニングプレートを更に備えて構成されている。アライニングプレートは、雌コネクタに対し雄コネクタが未嵌合の状態で、雌コネクタハウジングのフード部内に突出する雄端子の雄形電気接触部（雄タブ）の位置決め及び保護をするために備えられている。アライニングプレートは、フード部の内部に設けられた仮係止アームに仮係止された状態で組み付けられている。
【０００３】
特許文献１に開示された技術を適用した他のコネクタの例として、図７−図１２に図示するようなコネクタ１００が考案されている。
コネクタ１００は、フード部１０３及び雄端子収容部１０４を有するコネクタハウジング１０１と、コネクタハウジング１０１内に収容される多数の雄端子（図示せず）と、コネクタハウジング１０１のフード部１０３内に突出する雄端子の雄形電気接触部の位置決め及び保護をするためのアライニングプレート１０２とを備えて構成されている。
【０００４】
図１１に図示するように、コネクタハウジング１０１のフード部１０３を構成する内壁のうちコネクタハウジング１０１の短手方向に沿って形成される一対の内壁１０５，１０６には、アライニングプレート１０２を仮係止位置に組み付ける仮係止アーム１０７が設けられている。仮係止アーム１０７は、この先端からコネクタハウジング１０１の内側に突出しアライニングプレート１０２の仮係止部１０８に係合する係合突起１０９を有している。
【０００５】
ここで、コネクタハウジング１０１の内部にアライニングプレート１０２を仮係止する作業について説明する。
まず、アライニングプレート１０２を、図７に図示する矢印Ｐの指示する方向に移動させ、コネクタハウジング１０１のフード部１０３の内部に挿入する。そして、アライニングプレート１０２をフード部１０３の内部の奥側（雄端子収容部側）に挿入していくと、図１１に図示するように、フード部１０３の内部の略中間位置で仮係止アーム１０７がアライニングプレート１０２の仮係止部１０８に係合する。
このように、アライニングプレート１０２は、仮係止アーム１０７に仮係止されているため、コネクタ１００に対し相手コネクタ（図示せず）が未嵌合の状態のときに、コネクタハウジング１０１のフード部１０３の内部に突出する雄端子の雄形電気接触部の位置決め及び保護をすることができる。
【先行技術文献】
【特許文献】
【０００６】
【特許文献１】特開２００９−１８７８６５号公報
【発明の概要】
【発明が解決しようとする課題】
【０００７】
図７−図１２に図示するコネクタ１００にあっては、アライニングプレート１０２をコネクタハウジング１０１に仮係止した状態のときに、取扱者が指等でアライニングプレート１０２を図１０に図示する矢印Ｔの指示する方向に押圧すると、アライニングプレート１０２が、図１０に仮想線で図示するように、相手コネクタの挿入方向（図１０に図示する矢印Ｔの指示する方向）に撓む。すると、図１１に図示するように、アライニングプレート１０２の長手方向の両端部が、仮係止アーム１０７の係合突起１０９の先端を回転軸として図１１に図示する矢印Ｕの指示する方向に回転する。これにより、アライニングプレート１０２の仮係止部１０８と仮係止アーム１０７の係合突起１０９とが係合する部分の幅（係代）が小さくなってしまう。
そして、アライニングプレート１０２を相手コネクタの挿入方向に更に押圧すると、アライニングプレート１０２の両端部が、仮係止アーム１０７の係合突起１０９の先端を回転軸として図１２に図示する矢印Ｕの指示する方向に更に回転する。これにより、図１２に仮想線で図示するように、アライニングプレート１０２の仮係止部１０８と仮係止アーム１０７の係合突起１０９との係合が外れてしまうという問題点があった。
また、このような問題点より、仮係止アーム１０７から外れたアライニングプレート１０２がコネクタハウジング１０１内の奥側に落ち込んでしまうという問題点があった。
【０００８】
さらに、上記問題点より、アライニングプレート１０２がコネクタハウジング１０１内の奥側に落ち込んでしまった場合に、アライニングプレート１０２による雄端子の保護や規定の位置に位置決めをすることができなくなってしまうという問題点があった。  
【０００９】
本発明は、上記した事情に鑑みてなされたもので、アライニングプレートと仮係止アームとの係合を保持することができるアライニングプレート付きコネクタを提供することを課題とする。
【課題を解決するための手段】
【００１０】
上記課題を解決するためになされた請求項１記載の本発明のアライニングプレート付きコネクタは、相手コネクタの端子と電気的に接触する複数の雄端子と、前記相手コネクタが挿入可能に形成され内部に前記雄端子を収容するコネクタハウジングと、前記相手コネクタの挿入方向に移動可能に設けられ、前記雄端子の先端部を前記コネクタハウジング内に位置付けるアライニングプレートとを備え、前記コネクタハウジングには、前記アライニングプレートを仮係止位置に保持する一対の仮係止アームを設け、前記アライニングプレートには、前記仮係止アームが係合可能に形成された仮係止部を設け、前記コネクタハウジングと前記アライニングプレートには、互いに嵌合可能に形成される凹部と凸部とを複数設けたアライニングプレート付きコネクタにおいて、前記アライニングプレートのプレート本体は、前記コネクタハウジングの長手方向に沿った辺が前記コネクタハウジングの短手方向に沿った辺に比べて長くなる長方形の板状部分に形成され、前記仮係止アームと前記仮係止部は、前記プレート本体の前記短手方向に沿った辺の位置に合わせて配置され、且つ、前記凹部と前記凸部は、前記プレート本体の前記長手方向に沿った辺の位置に合わせて配置され、且つ、前記凹部と前記凸部は、前記プレート本体の前記長手方向に沿った辺が前記挿入方向に撓むのを規制する部分として形成され、且つ、前記凹部と前記凸部は、前記プレート本体の前記長手方向に沿った辺が前記挿入方向に撓もうとすると噛み合うことができる大きさに形成されることを特徴とする。
【００１１】
このような特徴を有する本発明は、コネクタハウジングとアライニングプレートに、凹部と凸部とを複数設けることにより、凹部と凸部とが互いに嵌合し相手コネクタの挿入方向にアライニングプレートが撓むのを規制する。
【００１２】
請求項２記載の本発明のアライニングプレート付きコネクタは、請求項１に記載のアライニングプレート付きコネクタにおいて、前記凹部及び前記凸部を、少なくとも前記仮係止アーム及び前記仮係止部の近傍に設けることを特徴とする。
【００１３】
このような特徴を有する本発明は、凹部及び凸部を仮係止アーム及び仮係止部の近傍に設けることにより、仮係止アームと仮係止部との係合箇所の近くで相手コネクタの挿入方向にアライニングプレートが撓むのを規制する。
【００１４】
請求項３記載の本発明のライニングプレート付きコネクタは、請求項１又は２に記載のアライニングプレート付きコネクタにおいて、前記凸部を、前記コネクタハウジングの内壁に設け前記挿入方向に沿って延びるリブ状に形成し、前記凹部を、前記アライニングプレートの外縁に設け前記凸部を案内可能に形成することを特徴とする。
【００１５】
このような特徴を有する本発明は、凸部が挿入方向に沿って延びるリブ状の形状を有し、凹部が凸部を案内可能な形状を有する。
【発明の効果】
【００１６】
請求項１に記載された本発明によれば、アライニングプレートと仮係止アームとを係合した状態でアライニングプレートが相手コネクタの挿入方向に押圧されても、コネクタハウジングとアライニングプレートとに設けられた凹部と凸部とが互いに嵌合することにより、相手コネクタの挿入方向にアライニングプレートが撓むのを規制することができる。これにより、アライニングプレートと仮係止アームとの係合を外れないようにすることができる。したがって、アライニングプレートと仮係止アームとの係合を保持することができるという効果を奏する。
また、本発明によれば、アライニングプレートによる雄端子の保護や規定の位置に位置決めを確実にすることができるという効果を奏する。
【００１７】
請求項２に記載された本発明によれば、仮係止アームと仮係止部との係合箇所の近くで相手コネクタの挿入方向にアライニングプレートが撓むのを規制するため、アライニングプレートが相手コネクタの挿入方向に押圧されても、仮係止アームと仮係止部との係合を、より確実に外れないようにすることができる。したがって、アライニングプレートと仮係止アームとの係合を、より確実に保持することができるという効果を奏する。
【００１８】
請求項３に記載された本発明によれば、凸部が挿入方向に沿って延びるリブ状に形成されているため、アライニングプレートが挿入方向に撓もうとしても、凸部と凹部との嵌合を外れないようにすることができる。これにより、仮係止アームと仮係止部との係合を、より確実に保持することができる。したがって、アライニングプレートと仮係止アームとの係合を、より確実に保持することができるという効果を奏する。
また、本発明によれば、凸部が挿入方向に沿って延びるリブ状に形成され、凹部が凸部を案内可能に形成されるため、コネクタハウジングに対するアライニングプレートの組み付け作業性が向上するという効果を奏する。
さらに、本発明によれば、凸部は挿入方向に沿って延びるリブ状に形成されるため、コネクタハウジング製造用の金型を支障なく開くことができる。したがって、コネクタの製造性が良好になるという効果を奏する。
【図面の簡単な説明】
【００１９】
【図１】本発明のアライニングプレート付きコネクタを示す分解斜視図である。
【図２】アライニングプレート付きコネクタの正面図である。
【図３】図２におけるＢ−Ｂ間の断面図である。
【図４】図２におけるＣ−Ｃ間の断面図である。
【図５】図２におけるＤ−Ｄ間の断面図である。
【図６】図５におけるアライニングプレートと仮係止アームとが係合している部分の拡大図である。
【図７】従来のアライニングプレート付きコネクタを示す分解斜視図である。
【図８】従来のアライニングプレート付きコネクタの正面図である。
【図９】図８におけるＱ−Ｑ間の断面図である。
【図１０】図８におけるＲ−Ｒ間の断面図である。
【図１１】図８におけるＳ−Ｓ間の断面図である。
【図１２】図１１におけるアライニングプレートと仮係止アームとが係合している部分の拡大図である。
【発明を実施するための形態】
【００２０】
以下、図１−図６を参照しながら本発明に係るアライニングプレート付きコネクタの実施例を説明する。
図１は本発明のアライニングプレート付きコネクタを示す分解斜視図、図２はアライニングプレート付きコネクタの正面図、図３は図２におけるＢ−Ｂ間の断面図、図４は図２におけるＣ−Ｃ間の断面図、図５は図２におけるＤ−Ｄ間の断面図、図６は図５におけるアライニングプレートと仮係止アームとが係合している部分の拡大図である。
なお、図中の矢印は、前後、上下、左右の各方向を示している（矢印の各方向は一例であるものとする）。
【００２１】
図１において、引用符号１は、本発明のアライニングプレート付きコネクタを示している。アライニングプレート付きコネクタ１は、例えば、自動車のカウルサイドで用いられるものである。もう少し詳しく説明をすると、所謂インパネやエンジン、フロア等に配索された多くの電線（回路）を集結するために用いられるものである。アライニングプレート付きコネクタ１は、本実施例では雌コネクタであるものとする。アライニングプレート付きコネクタ１は、雄コネクタとして形成される相手コネクタ（図示せず）と嵌合・離脱が可能となるように構成されている。
アライニングプレート付きコネクタ１は、複数の（多数の）雄端子（図示せず）と、コネクタハウジング２と、アライニングプレート３とを備えて構成されている。
以下、上記各構成について説明する。
【００２２】
まず、雄端子について説明する。
雄端子は、導電性を有する金属板をプレス加工することにより形成されるものであって、特に図示しないが、雄形電気接触部と、この雄形電気接触部に連続する電線接続部とを備えている。雄形電気接触部は、特許請求の範囲における「雄端子の先端部」に相当する部分であって、雄タブやピンなどと呼ばれる雄形に形成されている。この雄形電気接触部は、相手コネクタの雌端子（図示せず）と電気的に接触する部分として形成されている。電線接続部は、電線の端末に接続される部分として形成されている。
【００２３】
つぎに、コネクタハウジング２について説明する。
コネクタハウジング２は、絶縁性を有する合成樹脂材料からなり、図１−図３に図示するように、フード部４と、端子収容部５とを備えて構成されている。
フード部４は、図１−図３に図示するように、角筒状に形成され、コネクタハウジングの長手方向（図１及び図２においては左右方向）に沿って形成される一対の長手側壁６，７と、コネクタハウジングの短手方向（図１及び図２においては上下方向）に沿って形成される一対の短手側壁８，９とを備えて構成され、この内側に相手コネクタ嵌合室１０を有している。
相手コネクタ嵌合室１０は、アライニングプレート付きコネクタ１が相手コネクタと嵌合したときに、相手コネクタ２が挿入される空間として形成されている。
フード部４の前面は、相手コネクタ挿入口１１として開口形成されている。相手コネクタ挿入口１１は、アライニングプレート付きコネクタ１と相手コネクタとを嵌合するときに、相手コネクタを挿入する部分であって、相手コネクタ嵌合室１０に連通するように形成されている。
【００２４】
フード部４の一対の長手側壁６，７のそれぞれの内面１２，１３には、図１−図５に図示するように、本発明の特徴部分の１つである凹部１４が複数形成されている。
凹部１４は、相手コネクタの挿入方向（図１に図示する矢印Ａの指示する方向）にアライニングプレート３が撓むのを規制する部分として形成されている。
凹部１４は、図２に図示するように、コネクタハウジング２を正面から見ると凹状に形成されている。凹部１４は、アライニングプレート３の後述する凸部２７を案内することができるような形状に形成されている。図１−図５に図示するように、凹部１４は、図１に図示する矢印Ａの指示する相手コネクタの挿入方向（図１及び図３においては前後方向）に沿って長さ方向が相手コネクタ挿入口１１から相手コネクタ嵌合室１０の奥部１５まで延びるように設けられている。
【００２５】
凹部１４は、コネクタハウジング２の長手方向に沿った幅が所定の大きさに形成されている。もう少し詳しく説明をすると、後述するようにアライニングプレート３が相手コネクタの挿入方向に撓もうとするとアライニングプレート３の凸部２７と噛み合うことができる大きさに形成されている。
【００２６】
このような構成を有する凹部１４によれば、コネクタハウジング２の内部にアライニングプレート３を相手コネクタの挿入方向に移動可能に設けることができる。
また、アライニングプレート３が後述する仮係止アーム１９に仮係止された状態のときに、アライニングプレート３が相手コネクタの挿入方向に押圧され、この挿入方向に撓もうとすると、アライニングプレート３の後述する凸部２７と、凹部１４とを噛み合わせることができる。
【００２７】
本実施例では、凹部１４は、図１及び図２に図示するように、一対の長手側壁６，７のそれぞれの内面１２，１３に２個ずつ設けられている（凹部１４を設ける数は一例であるものとする）。
複数の凹部１４は、図１及び図２に図示するように、一対の長手側壁６，７のそれぞれの内面１２，１３の長手方向に沿って、この内面１２，１３の所定位置に配置されている。本実施例では、凹部１４は、一対の長手側壁６，７のそれぞれの内面１２，１３の長手方向の略中央の近傍と、一対の長手側壁６，７と短手側壁９とが連続する位置の近傍に設けられている（凹部を設ける位置は一例であるものとする）。
【００２８】
一対の長手側壁６，７と短手側壁９とが連続する位置の近傍に設けられている凹部１４について、もう少し詳しく説明をすると、この凹部１４は、図５に図示するように、後述する仮係止アーム１９の近傍に設けられているということができる。これにより、凹部１４と凸部２７とが噛み合う箇所と、仮係止アーム１９と仮係止部２６とが係合する箇所との間でアライニングプレート３を相手コネクタの挿入方向に押圧しても、アライニングプレート３は、上記挿入方向に撓み難くなる。
このような構成によれば、仮係止アーム１９と仮係止部２６とが係合する箇所の近傍で相手コネクタの挿入方向（図１に図示する矢印Ａの指示する方向）にアライニングプレート３が撓むのを規制することができる。
【００２９】
図４及び図５に図示するように、フード部４の一対の短手側壁８，９のそれぞれの内面１７，１８には、仮係止アーム１９と、ガイド溝２０とが設けられている。
仮係止アーム１９は、アライニングプレート３を相手コネクタ嵌合室１０内の仮係止位置に保持する部分として形成されている。仮係止アーム１９は、フード部４の一対の短手側壁８，９のそれぞれの内面１７，１８に２個ずつ設けられ、アライニングプレート３の四隅に係合することが可能な位置に配置されている。
【００３０】
仮係止アーム１９は、図５及び図６に図示するように、アーム部２１と係合突起２２とを備えて構成されている。
アーム部２１は、図５及び図６に図示するように、一対の短手側壁８，９のそれぞれの内面１７，１８の略中間位置に連続し、可撓性を有するアーム状に形成され、相手コネクタ嵌合室１０の奥部１５側に延びるように形成されている。アーム部２１は、アライニングプレート３が相手コネクタ嵌合室１０の内部に仮係止されたときに、後述するアライニングプレート３の長手方向の両端の外側に配置されるように形成されている。
係合突起２２は、図５及び図６に図示するように、アーム部２１の先端からフード部４の内側に突出するように形成され、アライニングプレート３の後述する仮係止部２６に係合する部分として形成されている。
【００３１】
ガイド溝２０は、図４に図示するように、一対の短手側壁８，９のそれぞれの内面１７，１８に設けられ、アライニングプレート３の後述するガイド部２４を案内することが可能な凹状に形成されている。
【００３２】
端子収容部５は、図１及び図２に図示するように、箱状の形状を有し、フード部２の奥部１５に連続して設けられている。
端子収容部５には、複数の（多数の）端子収容室１６が形成されている。端子収容室１６には、雄端子を係止するためのランス（符号省略）が形成されている。雄端子は、雄形電気接触部が端子収容部５の先端側から相手コネクタ嵌合室１０に突出するような状態で収容されている。
【００３３】
つぎに、アライニングプレート３について説明する。
アライニングプレート３は、絶縁性を有する合成樹脂材料からなり、ムービングプレートとも呼ばれる部材である。
アライニングプレート３は、コネクタハウジング２のフード部４の相手コネクタ嵌合室１０内を、相手コネクタの挿入方向に移動可能に設けることができ、相手コネクタ嵌合室１０内の略中間位置に一時的に係止されるように組み付けることができるように形成されている。アライニングプレート３は、アライニングプレート付きコネクタ１に対し相手コネクタが未嵌合の状態にある時に、フード部４の相手コネクタ嵌合室１０内に突出する雄端子の雄形電気接触部の位置決め及び保護をすることができるように形成されている。
【００３４】
アライニングプレート３は、図１に図示するように、プレート本体２３と、ガイド部２４とを備えて構成されている。
プレート本体２３は、図１−図５に図示するように、フード部４の断面形状に合わせた外形を有する板状の部分に形成される。プレート本体２３は、本実施例では、コネクタハウジング２の長手方向に沿った辺がコネクタハウジング２の短手方向に沿った辺に比べて長くなる長方形の板状部分に形成されている。プレート本体２３には、雄形電気接触部を挿通するための挿通孔２５が複数（多数）貫通形成されている。この他、プレート本体２３には、一対の仮係止部２６と、本発明の特徴部分の１つである複数の凸部２７とが設けられている。
【００３５】
仮係止部２６は、図１、図５及び図６に図示するように、プレート本体２３の下面に設けられ、断面凹状に形成されている。仮係止部２６は、図１及び図５に図示するように、アライニングプレート３の長手方向の両端部に配置形成されている。仮係止部２６は、図５及び図６に図示するように、コネクタハウジング２の仮係止アーム１９が係合することにより相手コネクタ嵌合室１０内の略中間位置に一時的に係止される部分として形成されている。
【００３６】
本発明の特徴部分の１つである凸部２７は、アライニングプレート３が相手コネクタの挿入方向（図１に図示する矢印Ａの指示する方向）に撓むのを規制する部分として形成されている。
凸部２７は、図１及び図２に図示するように、アライニングプレート３の長手方向（図１及び図２においては左右方向）に沿った一対の辺に設けられ、アライニングプレート３をフード部４の相手コネクタ嵌合室１０内に挿入するときに、フード部４に形成された凹部１４に案内されるように所定の位置に配置形成されている。
【００３７】
凸部２７は、図２に図示するように、コネクタハウジング２を正面から見ると外側に凸となる形成されている。凸部２７は、コネクタハウジング２のフード部４に形成された凹部１４に案内されるような形状に形成されている。
凸部２７は、アライニングプレート３の長手方向に沿った幅が所定の大きさに形成されている。もう少し詳しく説明をすると、後述するようにアライニングプレート３が相手コネクタの挿入方向に撓もうとするとコネクタハウジング２の凹部１４と噛み合うことができる大きさに形成されている。
【００３８】
このような構成を有する凸部２７によれば、コネクタハウジング２の内部にアライニングプレート３を相手コネクタの挿入方向に移動可能に設けることができる。
また、アライニングプレート３が仮係止アーム１９に仮係止された状態のときに、アライニングプレート３が相手コネクタの挿入方向に押圧され、この挿入方向に撓もうとすると、凸部２７とコネクタハウジング２の凹部１４とを噛み合わせることができる。
【００３９】
本実施例では、凸部２７は、図１及び図２に図示するように、アライニングプレート３の長手方向に沿った一対の辺に２個ずつ設けられている（凸部２７を設ける数は一例であるものとする）。
複数の凸部１４は、図１及び図２に図示するように、コネクタハウジング２のフード部４に形成された凹部１４の位置に合わせて配置形成されている。本実施例では、凸部２７は、アライニングプレート３の長手方向に沿った一対の辺の略中央の近傍と、アライニングプレート３の仮係止部２６の近傍に設けられている。
【００４０】
アライニングプレート３の仮係止部２６の近傍に設けられている凸部２７について、もう少し詳しく説明をすると、この凸部２７は、図５に図示するように、仮係止アーム１９とアライニングプレート３の仮係止部２６とが係合する箇所の近傍に設けられているということができる。これにより、凹部１４と凸部２７とが噛み合う箇所と、仮係止アーム１９と仮係止部２６とが係合する箇所との間でアライニングプレート３を相手コネクタの挿入方向に押圧しても、アライニングプレート３は、上記挿入方向に撓み難くなる。
このように、凸部１４を仮係止部２６の近傍に配置形成する構成によれば、仮係止アーム１９と仮係止部２６とが係合する箇所の近傍でアライニングプレート３が相手コネクタの挿入方向（図１に図示する矢印Ａの指示する方向）に撓むのを規制することができる（凹部を設ける位置は一例であるものとする）。
【００４１】
ガイド部２４は、可撓性を有する片状の部分に形成されている。ガイド部２４は、仮係止部２６の反対側の位置に、すなわち上面側に配置形成されている。ガイド部２４は、コネクタハウジング２の短手側壁８，９のガイド溝２０に案内されるように配置形成されている。
【００４２】
つぎに、コネクタハウジング２の相手コネクタ嵌合室１０内にアライニングプレート３を仮係止する作業の手順について説明する。
まず、アライニングプレート３を、図１に図示する矢印Ａの指示する方向に移動させ、コネクタハウジング２の相手コネクタ挿入口１１から相手コネクタ嵌合室１０内に挿入する。そして、アライニングプレート３を相手コネクタ嵌合室１０の略中間位置まで挿入すると、図３及び図４に図示するように、アライニングプレート３のガイド部２４が一対の短手側壁８，９のそれぞれの内面１７，１８のガイド溝２０に案内される。さらに、図５に図示するように、コネクタハウジング２の仮係止アーム１９がアライニングプレート３の仮係止部２６に係合する。
以上により、コネクタハウジング２の相手コネクタ嵌合室１０内にアライニングプレート３を仮係止する作業が完了する。
【００４３】
つぎに、コネクタハウジング２の相手コネクタ嵌合室１０内にアライニングプレート３を仮係止した状態で、アライニングプレート３を相手コネクタの挿入方向に押圧したときの各部の動作について説明する。
図４に図示するように、アライニングプレート３をコネクタハウジング２の相手コネクタ嵌合室１０内に仮係止した状態のときに、取扱者が指等でアライニングプレート３を相手コネクタの挿入方向（図４に図示する矢印Ｅの指示する方向）に押圧すると、アライニングプレート３に、相手コネクタの挿入方向に撓もうとする力が働く。
【００４４】
ここで、本発明との比較のため、図１０−図１２を参照する。
図１０において、従来のコネクタ１００のアライニングプレート１０２を、相手コネクタの挿入方向（図１０に図示する矢印Ｔの指示する方向）に押圧すると、アライニングプレート１０２が、仮想線で図示するように、相手コネクタの挿入方向（図１０に図示する矢印Ｔの指示する方向）に撓む。すると、図１１に図示するように、アライニングプレート１０２の長手方向の両端部が、仮係止アーム１０７の係合突起１０９の先端を回転軸として図１１に図示する矢印Ｕの指示する方向に回転する。これにより、アライニングプレート１０２の仮係止部１０８と仮係止アーム１０７の係合突起１０９とが係合する部分の幅（係代）が小さくなってしまう。
そして、アライニングプレート１０２を相手コネクタの挿入方向に更に押圧すると、アライニングプレート１０２の両端部が、仮係止アーム１０７の係合突起１０９の先端を回転軸として図１２に図示する矢印Ｕの指示する方向に更に回転する。これにより、図１２に仮想線で図示するように、アライニングプレート１０２の仮係止部１０８と仮係止アーム１０７の係合突起１０９との係合が外れてしまう。
【００４５】
これに対し、本発明のアライニングプレート付きコネクタ１は、図２−図５に図示するように、コネクタハウジング２の凹部１４に、アライニングプレート３の凸部２７が案内されているため、アライニングプレート３を、相手コネクタの挿入方向に押圧したときに、アライニングプレート３が上記挿入方向に撓もうとすると凹部１４と凸部２７とが噛み合うことになる。このため、図５及び図６に仮想線で図示するように、アライニングプレート３の上記挿入方向の撓みが規制される。すると、図５において、アライニングプレート３の長手方向の両端部が、仮係止アーム１９の係合突起２２の先端を回転軸として図５に図示する矢印Ｆの指示する方向に回転することが規制される。そして、図５において、アライニングプレート３を相手コネクタの挿入方向に更に押圧した場合であっても、アライニングプレート３が上記挿入方向に撓もうとすると凹部１４と凸部２７とが更に強く噛み合うことになる。これにより、図６に仮想線で図示するように、アライニングプレート３の仮係止部２６と仮係止アーム１９の係合突起２２とが係合する部分の幅（係代）を、図７−図１２に図示する従来のコネクタ１００に比べて大きく確保した状態で係合が保持される。
したがって、アライニングプレート３を相手コネクタの挿入方向に押圧しても、コネクタハウジング２の相手コネクタ嵌合室１０内にアライニングプレート３を仮係止した状態が保持されることになる。
【００４６】
ここで、例えば、図５に図示する凹部１４及び凸部２７を、係止アーム１９及び仮係止部２６から離れた位置に配置形成した場合に、凹部１４及び凸部２７と仮係止アーム１９及び仮係止部２６との間の位置でアライニングプレート３を相手コネクタの挿入方向に押圧すると、アライニングプレート３の凹部１４及び凸部２７と仮係止アーム１９及び仮係止部２６との間で、アライニングプレート３が相手コネクタの挿入方向に撓んでしまう。
このように、コネクタハウジング２とアライニングプレート３に、凹部１４と凸部２７とを設けても、凹部１４と凸部２７が仮係止アーム１９と仮係止部２６とから離れた位置に配置形成されたのでは、アライニングプレート３の上記挿入方向の撓みを規制することができず、仮係止アーム１９と仮係止部２６との係合が外れてしまう。
【００４７】
これに対し、本発明は、図５に図示するように、凹部１４及び凸部２７が仮係止アーム１９及び仮係止部２６の近傍に配置形成しているため、アライニングプレート３を、相手コネクタの挿入方向に押圧したときに、仮係止アーム１９と仮係止部２６との係合箇所の近傍位置におけるアライニングプレート３の相手コネクタの挿入方向の撓みを規制することになる。
これにより、凹部１４及び凸部２７と仮係止アーム１９及び仮係止部２６との間の位置でアライニングプレート３を相手コネクタの挿入方向に押圧しても、コネクタハウジング２の相手コネクタ嵌合室１０内にアライニングプレート３を仮係止した状態が、より確実に保持されることになる。
【００４８】
以上、図１−図６を参照しながら説明してきたように、本発明によれば、アライニングプレート３と仮係止アーム１９とを係合した状態でアライニングプレート３が相手コネクタの挿入方向に押圧されても、コネクタハウジング２とアライニングプレート３とに設けられた凹部１４と凸部２７とが互いに嵌合することにより、相手コネクタの挿入方向にアライニングプレート３が撓むのを規制することができる。これにより、アライニングプレート３と仮係止アーム１９との係合を外れないようにすることができる。
したがって、アライニングプレート３と仮係止アーム１９との係合を保持することができるという効果を奏する。
【００４９】
また、本発明によれば、アライニングプレート３による雄端子の保護や規定の位置に位置決めを確実にすることができるという効果を奏する。
【００５０】
さらに、本発明によれば、仮係止アーム１９と仮係止部２６との係合箇所の近くで相手コネクタの挿入方向にアライニングプレート３が撓むのを規制するため、アライニングプレート３が相手コネクタの挿入方向に押圧されても、仮係止アーム１９と仮係止部２６との係合を、より確実に外れないようにすることができる。
したがって、アライニングプレート３と仮係止アーム１９との係合を、より確実に保持することができるという効果を奏する。
【００５１】
この他、本発明は本発明の主旨を変えない範囲で種々変更実施可能なことは勿論である。
【００５２】
上記説明では、コネクタハウジング２に凹部１４を複数設け、アライニングプレート３に凸部２７を複数設ける構成であったが、これに限らず、つぎのような構成にしてもよいものとする。
すなわち、特に図示しないが、凸部を、コネクタハウジングの一対の長手側壁のそれぞれの内面に設け、相手コネクタの挿入方向に沿って延びるリブ状に形成し、凹部を、アライニングプレートの長手方向に沿った一対の辺（外縁）に設け凸部を案内可能に形成するような構成であってもよいものとする。
【００５３】
このような凹部及び凸部によれば、コネクタハウジングの内部にアライニングプレートが相手コネクタの挿入方向に移動可能に設けられる。
また、アライニングプレートがコネクタハウジングの仮係止アームに仮係止された状態のときに、アライニングプレートが相手コネクタの挿入方向に押圧され、この挿入方向に撓もうとすると、凹部と凸部とが噛み合う。
さらに、凸部が相手コネクタの挿入方向に沿って延びるリブ状に形成されているため、コネクタハウジングの内部で凹部が凸部から外れなくなり、コネクタハウジングに対するアライニングプレートの組み付け状態が安定する。
【００５４】
本発明によれば、凸部が挿入方向に沿って延びるリブ状に形成されているため、アライニングプレートが挿入方向に撓もうとしても、凸部と凹部との嵌合を外れないようにすることができる。これにより、仮係止アームと仮係止部との係合を、より確実に保持することができる。
したがって、アライニングプレートと仮係止アームとの係合を、より確実に保持することができるという効果を奏する。
【００５５】
また、本発明によれば、凸部が挿入方向に沿って延びるリブ状に形成され、凹部が凸部を案内可能に形成されるため、コネクタハウジングに対するアライニングプレートの組み付け作業性が向上するという効果を奏する。
【００５６】
さらに、本発明によれば、凸部は挿入方向に沿って延びるリブ状に形成されるため、コネクタハウジング製造用の金型を支障なく開くことができる。
したがって、コネクタの製造性が良好になるという効果を奏する。
【符号の説明】
【００５７】
１…アライニングプレート付きコネクタ、  ２…コネクタハウジング、  ３…アライニングプレート、  ４…フード部、  ５…端子収容部、  ６，７…長手側壁、  ８，９…短手側壁、  １０…相手コネクタ嵌合室、  １１…相手コネクタ挿入口、  １２，１３，１７，１８…内面、  １４…凹部、  １５…奥部、  １６…端子収容室、  １９…仮係止アーム、  ２０…ガイド溝、  ２１…アーム部、  ２２…係合突起、  ２３…プレート本体、  ２４…ガイド部、  ２５…挿通孔、  ２６…仮係止部、  ２７…凸部
【図１】
0006280080.tif 000002
【図２】
0006280080.tif 000003
【図３】
0006280080.tif 000004
【図４】
0006280080.tif 000005
【図５】
0006280080.tif 000006
【図６】
0006280080.tif 000007
【図７】
0006280080.tif 000008
【図８】
0006280080.tif 000009
【図９】
0006280080.tif 000010
【図１０】
0006280080.tif 000011
【図１１】
0006280080.tif 000012
【図１２】
0006280080.tif 000013